【手続補正書】
【提出日】平成28年9月14日(2016.9.14)
【手続補正１】
【補正対象書類名】明細書
【補正対象項目名】発明の名称
【補正方法】変更
【補正の内容】
【発明の名称】音声出力制御装置、学習支援方法及び音声出力制御プログラム
【手続補正２】
【補正対象書類名】明細書
【補正対象項目名】０００１
【補正方法】変更
【補正の内容】
【０００１】
本発明は、音声の録音と再生が可能な音声出力制御装置、学習支援方法及び音声出力制御プログラムに関する。
【手続補正３】
【補正対象書類名】明細書
【補正対象項目名】０００５
【補正方法】変更
【補正の内容】
【０００５】
本発明の課題は、テキスト内の文の音声を学習するとともに、当該文中の単語の音声を学習することのできる音声出力制御装置、学習支援方法及び音声出力制御プログラムを提供することである。
【手続補正４】
【補正対象書類名】明細書
【補正対象項目名】０００６
【補正方法】変更
【補正の内容】
【０００６】
以上の課題を解決するため、本発明の音声出力制御装置は、
単語と単語音声データが複数記憶されている単語音声記憶手段と、
複数の単語を含む文と、当該文の文音声データとが対応付けられて複数記憶されている文音声記憶手段と、
前記文を含むテキストを表示する制御を行うテキスト表示制御手段と、
ユーザ操作に基づいて、前記テキスト内の前記文又は当該文中の単語を音声学習対象として指定する音声学習対象指定手段と、
前記文が前記音声学習対象として指定された場合には、当該文についてのユーザ音声データを録音する制御を行い、前記文中の単語が指定された場合には、当該単語についてのユーザ音声データを録音する制御を行う対象別録音制御手段と、
前記対象別録音制御手段により前記文についてのユーザ音声データが録音された場合には、当該文に対応する前記文音声データを出力し、当該文についてのユーザ音声データを出力する制御を行い、前記対象別再生録音制御手段により単語についてのユーザ音声データが録音された場合には、前記単語音声データを出力し、当該単語についてのユーザ音声データを出力する制御を行う対象別出力制御手段と、
を備えることを特徴とする。
【手続補正５】
【補正対象書類名】明細書
【補正対象項目名】０００７
【補正方法】変更
【補正の内容】
【０００７】
また、本発明の他の音声出力制御装置は、
単語の単語音声データを取得する単語音声取得手段と、
複数の単語を含む文と、当該文の文音声データとを取得する文音声取得手段と、
前記文を含むテキストを表示する制御を行うテキスト表示制御手段と、
ユーザ操作に基づいて、前記テキスト内の前記文又は当該文中の単語を音声学習対象として指定する音声学習対象指定手段と、
前記文が前記音声学習対象として指定された場合には、当該文についてのユーザ音声データを録音する制御を行い、前記文中の単語が指定された場合には、当該単語についてのユーザ音声データを録音する制御を行う対象別録音制御手段と、
前記対象別録音制御手段により前記文についてのユーザ音声データが録音された場合には、当該文に対応する前記文音声データを出力し、当該文についてのユーザ音声データを出力する制御を行い、前記対象別録音制御手段により単語についてのユーザ音声データが録音された場合には、当該単語に対応する前記単語音声データを出力し、当該単語についてのユーザ音声データを出力する制御を行う対象別出力制御手段と、
を備えることを特徴とする。
【手続補正６】
【補正対象書類名】特許請求の範囲
【補正対象項目名】全文
【補正方法】変更
【補正の内容】
【特許請求の範囲】
【請求項１】
単語と単語音声データが複数記憶されている単語音声記憶手段と、
複数の単語を含む文と、当該文の文音声データとが対応付けられて複数記憶されている文音声記憶手段と、
前記文を含むテキストを表示する制御を行うテキスト表示制御手段と、
ユーザ操作に基づいて、前記テキスト内の前記文又は当該文中の単語を音声学習対象として指定する音声学習対象指定手段と、
前記文が前記音声学習対象として指定された場合には、当該文についてのユーザ音声データを録音する制御を行い、前記文中の単語が指定された場合には、当該単語についてのユーザ音声データを録音する制御を行う対象別録音制御手段と、
前記対象別録音制御手段により前記文についてのユーザ音声データが録音された場合には、当該文に対応する前記文音声データを出力し、当該文についてのユーザ音声データを出力する制御を行い、前記対象別再生録音制御手段により単語についてのユーザ音声データが録音された場合には、前記単語音声データを出力し、当該単語についてのユーザ音声データを出力する制御を行う対象別出力制御手段と、
を備えることを特徴とする音声出力制御装置。
【請求項２】
請求項１記載の音声出力制御装置において、
前記対象別録音制御手段は、前記文が前記音声学習対象として指定された場合には、当該文に対応する前記文音声データを出力した後に、当該文についてのユーザ音声データを録音する制御を行い、前記文中の単語が指定された場合には、当該単語に対応する単語音声データを出力した後に、当該単語についてのユーザ音声データを録音する制御とを行う、
ことを特徴とする音声出力制御装置。
【請求項３】
請求項１又は２記載の音声出力制御装置において、
前記文音声記憶手段には、
各文に対し、当該文の文音声データを含む動画データが対応付けて記憶されており、
前記対象別録音制御手段は、
前記文が前記音声学習対象として指定された場合には、
当該文に対応する前記文音声データを出力する制御として、当該文に対応する前記動画データを出力する制御を行うとともに、
当該文についてのユーザ音声データを録音する制御を行うときに、当該文を含む前記テキストを表示する制御を行うことを特徴とする音声出力制御装置。
【請求項４】
請求項３記載の音声出力制御装置において、
前記対象別出力制御手段は、
前記対象別録音制御手段により前記文についてのユーザ音声データが録音された場合には、
当該文に対応する前記文音声データを出力する制御として、当該文に対応する前記動画データを出力する制御を行うとともに、
当該文についてのユーザ音声データを出力する制御を行うときに、当該文を含む前記テキストを表示する制御を行うことを特徴とする音声出力制御装置。
【請求項５】
請求項１〜４の何れか一項に記載の音声出力制御装置において、
前記文が前記音声学習対象として指定された場合に、当該文の前記文音声データを出力する制御を行う文音声出力制御手段と、
前記文が前記音声学習対象として指定された場合に、当該文の文字列に対応する合成音声データを生成して出力する制御を行う合成音声出力制御手段と、
前記テキスト表示制御手段によりテキストが表示されている状態で、第１のアイコン、第２のアイコン及び第３のアイコンをこの順に並べて表示する制御を行うアイコン表示制御手段と、
前記第１のアイコンに対してユーザ操作が行われ、かつ、前記文が前記音声学習対象として指定された場合に、前記文音声出力制御手段を機能させ、前記第２のアイコンに対してユーザ操作が行われ、かつ、前記文が前記音声学習対象として指定された場合に、前記対象別録音制御手段を機能させ、前記第３のアイコンに対してユーザ操作が行われ、かつ、前記文が前記音声学習対象として指定された場合に、前記合成音声出力制御手段を機能させる機能制御手段と、
を備えることを特徴とする音声出力制御装置。
【請求項６】
請求項５に記載の音声出力制御装置において、
前記文音声出力制御手段は、
前記文の再生回数を設定するための回数設定アイコンを表示する制御を行う回数アイコン表示制御手段を有し、
前記回数設定アイコンによって設定された再生回数だけ、前記文音声データを再生する制御を行うことを特徴とする音声出力制御装置。
【請求項７】
単語の単語音声データを取得する単語音声取得手段と、
複数の単語を含む文と、当該文の文音声データとを取得する文音声取得手段と、
前記文を含むテキストを表示する制御を行うテキスト表示制御手段と、
ユーザ操作に基づいて、前記テキスト内の前記文又は当該文中の単語を音声学習対象として指定する音声学習対象指定手段と、
前記文が前記音声学習対象として指定された場合には、当該文についてのユーザ音声データを録音する制御を行い、前記文中の単語が指定された場合には、当該単語についてのユーザ音声データを録音する制御を行う対象別録音制御手段と、
前記対象別録音制御手段により前記文についてのユーザ音声データが録音された場合には、当該文に対応する前記文音声データを出力し、当該文についてのユーザ音声データを出力する制御を行い、前記対象別録音制御手段により単語についてのユーザ音声データが録音された場合には、当該単語に対応する前記単語音声データを出力し、当該単語についてのユーザ音声データを出力する制御を行う対象別出力制御手段と、
を備えることを特徴とする音声出力制御装置。
【請求項８】
単語と単語音声データが対応付けられて複数記憶されている単語音声記憶手段と、
複数の単語を含む文と、当該文の文音声データとが対応付けられて複数記憶されている文音声記憶手段と、
を備えるコンピュータの学習支援方法であって、
前記文を含むテキストを表示させ、
ユーザ操作に基づいて、前記テキスト内の前記文又は当該文中の単語を音声学習対象として指定し、
前記文が前記音声学習対象として指定された場合には、当該文についてのユーザ音声データを録音する制御を行い、前記文中の単語が指定された場合には、当該単語についてのユーザ音声データを録音する制御を行い、
前記文についてのユーザ音声データが録音された場合には、当該文に対応する前記文音声データを出力し、当該文についてのユーザ音声データを出力する制御を行い、単語についてのユーザ音声が録音された場合には、当該単語に対応する前記単語音声データを出力し、当該単語についてのユーザ音声データを出力する制御を行う、
ことを特徴とする学習支援方法。
【請求項９】
単語の単語音声データを取得する単語音声取得手段と、
複数の単語を含む文と、当該文の文音声データとを取得する文音声取得手段と、
を備えるコンピュータの学習支援方法であって、
前記文を含むテキストを表示させ、
ユーザ操作に基づいて、前記テキスト内の前記文又は当該文中の単語を音声学習対象として指定し、
前記文が前記音声学習対象として指定された場合には、当該文についてのユーザ音声データを録音する制御を行い、前記文中の単語が指定された場合には、当該単語についてのユーザ音声データを録音する制御を行い、
前記文についてのユーザ音声データが録音された場合には、当該文に対応する前記文音声データを出力し、当該文についてのユーザ音声データを出力する制御を行い、前記対象別再生録音制御手段により単語についてのユーザ音声データが録音された場合には、当該単語に対応する前記単語音声データを出力し、当該単語についてのユーザ音声データを出力する制御を行う、
ことを特徴とする学習支援方法。
【請求項１０】
単語と単語音声データが複数記憶されている単語音声記憶手段と、
複数の単語を含む文と、当該文の文音声データとが対応付けられて複数記憶されている文音声記憶手段と、
を備えるコンピュータに、
前記文を含むテキストを表示する制御を行うテキスト表示制御機能と、
ユーザ操作に基づいて、前記テキスト内の前記文又は当該文中の単語を音声学習対象として指定する音声学習対象指定機能と、
前記文が前記音声学習対象として指定された場合には、当該文についてのユーザ音声データを録音する制御を行い、前記文中の単語が指定された場合には、当該単語についてのユーザ音声データを録音する制御を行う対象別録音制御機能と、
前記対象別録音制御機能により前記文についてのユーザ音声データが録音された場合には、当該文に対応する前記文音声データを出力し、当該文についてのユーザ音声データを出力する制御を行い、前記対象別再生録音制御機能により単語についてのユーザ音声データが録音された場合には、前記単語音声データを出力し、当該単語についてのユーザ音声データを出力する制御を行う対象別出力制御機能と、
を実現させることを特徴とする音声出力制御プログラム。
【請求項１１】
単語の単語音声データを取得する単語音声取得手段と、
複数の単語を含む文と、当該文の文音声データとを取得する文音声取得手段と、
を備えるコンピュータに、
前記文を含むテキストを表示する制御を行うテキスト表示制御機能と、
ユーザ操作に基づいて、前記テキスト内の前記文又は当該文中の単語を音声学習対象として指定する音声学習対象指定機能と、
前記文が前記音声学習対象として指定された場合には、当該文についてのユーザ音声データを録音する制御を行い、前記文中の単語が指定された場合には、当該単語についてのユーザ音声データを録音する制御を行う対象別録音制御機能と、
前記対象別録音制御機能により前記文についてのユーザ音声データが録音された場合には、当該文に対応する前記文音声データを出力し、当該文についてのユーザ音声データを出力する制御を行い、前記対象別録音制御機能により単語についてのユーザ音声データが録音された場合には、当該単語に対応する前記単語音声データを出力し、当該単語についてのユーザ音声データを出力する制御を行う対象別出力制御機能と、を実現させることを特徴とする音声出力制御プログラム。